(57)【要約】【課題】エビ、蟹等の甲殻類やナマコ、アワビ、サザエ等の水生無脊椎生物などが外敵から保護しつつ、生息し易い環境を形成するようにした消波ブロックを提供する。【解決手段】生息生物は、消波ブロックに設けた連通穴３に生息して、外敵から身を守り、外敵が一方の開口端３ａから進入した場合は、他方の開口端３ｂから逃げ出すことができるようになり、連通穴３には、新たな海水が出入りするので、生息生物の餌となるプランクトン等が常に供給され、屈曲部４により、連通穴３に流入したプランクトンは、すぐに流出せずに、連通穴３の内部に滞留し易くなる。【選択図】    図３
2007205136.tif 000002
【特許請求の範囲】
【請求項１】
屈曲部を有する連通穴を備えたことを特徴とする消波ブロック。
【請求項２】
前記連通穴をＵ字状に形成した請求項１に記載の消波ブロック。
【請求項３】
前記連通穴の壁面に凹部を設けた請求項１または２に記載の消波ブロック。
【発明の詳細な説明】
【技術分野】
【０００１】
本発明は、消波ブロックに関し、さらに詳しくは、エビ、蟹等の甲殻類やナマコ、アワビ、サザエ等の水生無脊椎生物などが外敵から保護しつつ、生息し易い環境を形成するようにした消波ブロックに関するものである。
【背景技術】
【０００２】
近年、消波ブロックの表面に多数の凹凸を設けて、海藻類等の水中生物が生息し易い環境を提供するようにしたものが提案されている（例えば、特許文献１参照）。
【０００３】
しかしながら、このような消波ブロックでは、表面に形成した凹凸が小さく、海藻類がその表面に付着し易くなる程度であり、エビ、蟹等の甲殻類やナマコ、アワビ、サザエ等の水生無脊椎生物などが外敵から身を守りつつ、生息できる快適な環境を形成することが困難であった。
【特許文献１】特開２０００−１１０１４５号公報
【発明の開示】
【発明が解決しようとする課題】
【０００４】
本発明の目的は、エビ、蟹等の甲殻類やナマコ、アワビ、サザエ等の水生無脊椎生物などが外敵から保護しつつ、生息し易い環境を形成するようにした消波ブロックを提供することにある。
【課題を解決するための手段】
【０００５】
上記目的を達成するため本発明の消波ブロックは、屈曲部を有する連通穴を備えたことを特徴とするものである。
【発明の効果】
【０００６】
本発明の消波ブロックによれば、エビ、ナマコ等の生息生物は、連通穴に生息することにより、外敵から身を守ることができ、外敵が一方の開口端から連通穴に進入してきても、他方の開口端から逃げ出すことができるので、安全に生息することができる。また、連通穴に屈曲部を設けているので、外敵は、この屈曲部を通過して進入することが困難になり、生息生物は、より安全に生息することができる。
【０００７】
また、連通穴には、新たな海水が出入りするので、生息生物の餌となるプランクトン等が常に供給され、しかも、屈曲部があるので、連通穴に流入したプランクトン等は、すぐに通過して流出するのではなく、連通穴の内部に滞留し易くなり、生息生物は安定的に餌を得ることができる。
【発明を実施するための最良の形態】
【０００８】
以下、本発明の消波ブロックを図に示した実施形態に基づいて説明する。
図１〜図３に例示するように、本発明の消波ブロック１は、５本の脚部２が突設され、それぞれの脚部２には、連通穴３が形成されている。
【０００９】
この連通穴３は、両開口端３ａ、３ｂの間に２つの屈曲部４、４を有してＵ字状に形成され、ほぼ均一な横断面積の通路となっている。連通穴３には壁面に凹部５を有しているものもある。尚、本発明において屈曲部４とは、湾曲部を含むものである。
【００１０】
連通穴３の横断面積は、例えば、６０ｃｍ２〜１２０ｃｍ２である。ただし、本発明は、この範囲に限定されるものではない。連通穴３の横断面積を変化させるように構成してもよい。開口端３ａ、３ｂは、２ヶ所に限定されず、３か所以上設けてもよい。
【００１１】
この消波ブロック１を浸食海岸、防波堤等の一般的に消波ブロックが配置される場所に設置すると、その海域で生息していたエビ、蟹等の甲殻類やナマコ、アワビ、サザエ等の水生無脊椎生物などの水生生物は、連通穴３で外敵から身を守りつつ生息することができる。
【００１２】
この消波ブロック１では、奥が行き止まりとなる単なる穴ではなく、連通穴３にして少なくとも２つの開口端３ａ、３ｂを有するようにしているので、生息生物は、外敵が一方の開口端３ａから連通穴３に進入してきても、他方の開口端３ｂから逃げることができ、安全に生息することができる。
【００１３】
一般に外敵は、その生息生物よりも大きいので、生息生物が連通穴３の屈曲部４を通過して奥に逃げ込めば、この屈曲部４を容易に通過することができないので、より安全に生息することができる。
【００１４】
さらに、連通穴３には、海水が流入し、この流入した海水は内部を通過して流出するので海水がよどむことがなく、新たな海水が出入りして生息生物の餌となるプランクトン等が常に供給される。しかも、連通穴３に流入したプランクトン等は、屈曲部４があるので、すぐに通過して流出せずに、連通穴３の内部に滞留し易くなる。そのため、生息生物には安定的に餌が供給されることになり、快適な生息環境となる。
【００１５】
図３に示すように連通穴３の壁面に凹部５が設けることにより、流入したプランクトン等をさらに滞留させ易くすることができる。
【００１６】
連通穴３は屈曲部４を有していれば、他の形状でもよく、例えば、図４（ａ）例示するように、両開口端３ａ、３ｂを対向する表面に設けて脚部２を一方側から反対側に貫通するように形成してもよい。また、図４（ｂ）に例示するように多数の屈曲部４を設けるようにしてもよい。
【００１７】
図３に例示した連通穴３のように、同じ面に開口端３ａ、３ｂを設けてＵ字状に形成して、脚部２の一方面から反対面に貫通させないように設けることにより、消波ブロック１の強度を低下しにくくすることができる。尚、ここでのＵ字状とは、Ｕ字状に類する形状も含むものである。
【００１８】
この連通穴３に生息する水生生物としては、エビ、蟹等の甲殻類やナマコ、アワビ、サザエ等の水生無脊椎生物などを例示することができる。
【００１９】
尚、本発明の消波ブロック１は、実施形態に例示したような５つの脚部２を有する形状に限らず、種々の形状とすることができる。また、この消波ブロック１は海だけでなく、河川、湖沼等に設置して使用することができる。
【００２０】
本発明の消波ブロック１を製造する方法を、図５に一部を拡大して例示する。一般的な消波ブロックを製造するように、外形を型取った型枠７にコンクリートＣを打設し、コンクリートＣが固化した後に脱型するが、コンクリートＣを打設する前に、製造後に連通穴３となる連通管６を埋設しておく。連通管６は、屈曲部６ａを有しており、形成する連通穴３に凹部５を設ける場合は、凹部６ｂを備えた連通管６を用いる。コンクリートＣを打設後、所定期間養生してから脱型することにより、埋設した連通管６を連通穴３にした消波ブロック１を製造することができる。
【００２１】
このように、この製造方法によれば、様々な形状の連通穴３を設けた消波ブロック１を容易に製造することができる。            
【００２２】
連通管６は、金属製、樹脂製、別途製造したコンクリート製など、様々な材質で製造したものを用いることができる。
【図面の簡単な説明】
【００２３】
【図１】本発明の消波ブロックを例示する平面図である。
【図２】図１の側面図である。
【図３】図２の連通穴を拡大して示す側面図である。
【図４】図３の連通穴の変形例を示す側面図である。
【図５】図１の消波ブロックの製造方法を例示する一部拡大説明図である。
【符号の説明】
【００２４】
１  消波ブロック
２  脚部
３  連通穴    ３ａ、３ｂ  開口端
４  屈曲部
５  凹部
６  連通管    ６ａ  屈曲部    ６ｂ  凹部
７  型枠
【図１】
2007205136.tif 000003
【図２】
2007205136.tif 000004
【図３】
2007205136.tif 000005
【図４】
2007205136.tif 000006
【図５】
2007205136.tif 000007